(57)【要約】【課題】  ソフトルアーの進行方向の後方に位置する揺動部位の動きが阻害されるのを抑制する。【解決手段】  一実施形態におけるソフトルアーは、本体部と、この本体部の側面から突出するように設けられると共にソフトルアーの進行に伴う水流抵抗を受けて揺動する複数の脚部と、を備え、この複数の脚部は、１番目の脚部の後方に位置する２番目の脚部、及び、この２番目の脚部の後方に位置する３番目の脚部の水流抵抗面の少なくとも一部が進行方向の前方から見て露出している。当該複数の脚部の各々は、その付け根における上下方向の幅が前記進行方向の厚みよりも小さくなるように構成されている。【選択図】  図１
2019022525.tif 000002
【特許請求の範囲】
【請求項１】
釣用のソフトルアーであって、
本体部と、
前記本体部の側面から突出するように設けられると共に前記ソフトルアーの進行に伴う水流抵抗を受けて揺動する複数の脚部と、を備え、
前記複数の脚部は、
第１の脚部と、
前記ソフトルアーの進行方向に沿って前記第１の脚部の後方に位置すると共に、水流抵抗を受ける面の少なくとも一部が前記進行方向の前方から見て露出している第２の脚部と、を少なくとも含み、
前記複数の脚部の各々は、その付け根における上下方向の幅が前記進行方向の厚みよりも小さくなるように構成されている、
ソフトルアー。
【請求項２】
前記第１の脚部及び前記第２の脚部を含む前記複数の脚部の少なくとも一部は、前記進行方向に沿って一列に並べて設けられている請求項１に記載のソフトルアー。
【請求項３】
前記第２の脚部は、水流抵抗を受ける面の大きさが、前記第１の脚部よりも大きい請求項１又は２に記載のソフトルアー。
【請求項４】
前記第２の脚部は、突出する方向の長さが、前記第１の脚部よりも長い請求項１ないし３何れかに記載のソフトルアー。
【請求項５】
前記第２の脚部は、水流抵抗を受ける面における突出する方向に略直交する方向の幅が、前記第１の脚部よりも長い請求項１ないし４何れかに記載のソフトルアー。
【請求項６】
前記第２の脚部は、強度が、前記第１の脚部よりも高い請求項２ないし５何れかに記載のソフトルアー。
【請求項７】
前記第２の脚部は、前記進行方向の厚みが、前記第１の脚部よりも厚い請求項６に記載のソフトルアー。
【請求項８】
前記複数の脚部は、前記本体部の一方の側面と他方の側面とに対称に設けられている請求項１ないし７何れかに記載のソフトルアー。
【請求項９】
前記複数の脚部は、前記本体部の側面から前記進行方向の前方に向かって突出するように設けられている、請求項１から請求項８のいずれか１項に記載のソフトルアー。
【請求項１０】
前記複数の脚部の各々は、水流抵抗を受けるように構成された水流抵抗面を有し、前記水流抵抗面に前記ソフトルアーの進行に伴う水流抵抗を受けることで揺動するように構成されている、請求項１から請求項９のいずれか１項に記載のソフトルアー。
【発明の詳細な説明】
【技術分野】
【０００１】
本発明は、釣用のソフトルアーに関する。
【背景技術】
【０００２】
従来より、魚釣りに使用される疑似餌（ルアー）の一つとして、合成樹脂やゴム等の軟質材料により形成されるソフトルアーが存在する。ソフトルアーは、硬質材料により形成されるハードルアーと比較して、水流に応じた変形や微細な動作を実現し易いルアーであると言える。
【０００３】
また、ルアーを用いた釣りでは、リトリーブ中のルアーの動きを、活き餌の動きに出来るだけ近づけることが好ましい。そこで、例えば、日本国実用新案登録第３１８９４７３号公報に開示されているワーム型のソフトルアーでは、水流抵抗を受けて揺れ動く多数の揺動部位が本体部に設けられており、これにより、活き餌の動きに近い動作を実現し、対象魚に対する視覚的な刺激の増大を図っている。
【先行技術文献】
【特許文献】
【０００４】
【特許文献１】実用新案登録第３１８９４７３号公報
【発明の概要】
【発明が解決しようとする課題】
【０００５】
しかしながら、上述した多数の揺動部位を有するソフトルアーにおいて、ルアーの進行方向の前方（水流の上流）に位置する揺動部位は、活発に揺れ動くのに必要な水流抵抗を十分に受けることが出来るものの、それよりも後方（水流の下流）に位置する揺動部位は、前方に位置する揺動部位によって水流が乱されるため、十分な水流抵抗を受けにくい。この結果、後方に位置する揺動部位の動きが阻害されてしまうことがある。
【０００６】
本発明の実施形態は、ソフトルアーの進行方向の後方に位置する揺動部位の動きが阻害されるのを抑制することを目的の一つとする。本発明の実施形態の他の目的は、本明細書全体を参照することにより明らかとなる。
【課題を解決するための手段】
【０００７】
本発明の一実施形態に係るソフトルアーは、釣用のソフトルアーであって、本体部と、前記本体部の側面から突出するように設けられると共に前記ソフトルアーの進行に伴う水流抵抗を受けて揺動する複数の脚部と、を備え、前記複数の脚部は、第１の脚部と、前記ソフトルアーの進行方向に沿って前記第１の脚部の後方に位置すると共に、水流抵抗を受ける面の少なくとも一部が前記進行方向の前方から見て露出している第２の脚部と、を少なくとも含む。一実施形態において、当該複数の脚部の各々は、その付け根における上下方向の幅が前記進行方向の厚みよりも小さくなるように構成されている。
【発明の効果】
【０００８】
本発明の様々な実施形態によって、ソフトルアーの進行方向の後方に位置する揺動部位の動きが阻害されるのを抑制することができる。
【図面の簡単な説明】
【０００９】
【図１】一実施形態に係るソフトルアー１０の斜視図。
【図２】一実施形態に係るソフトルアー１０の上面図。
【図３】一実施形態に係るソフトルアー１０の側面図。
【図４】一実施形態に係るソフトルアー１０の正面図。
【発明を実施するための形態】
【００１０】
以下、本発明の様々な実施形態を適宜図面を参照して説明する。なお、図面における共通する構成要素には同一の参照符号が付されている。
【００１１】
図１は、本発明の一実施形態に係るソフトルアー１０の斜視図であり、図２は、同じくソフトルアー１０の上面図であり、図３は、同じくソフトルアー１０の側面図であり、図４は、同じくソフトルアー１０の正面図である。一実施形態におけるソフトルアー１０は、ワーム型のソフトルアーであり、図示するように、本体部１１と、本体部１１の側面から左右対称に突出するように設けられた複数の脚部２０と、を備える。ここで、ワーム型のソフトルアーは例示であって、本発明の実施形態において、軟質材料により形成される様々な種類のソフトルアーが適用され得る。
【００１２】
一実施形態におけるソフトルアー１０は、リトリーブ中において図１の矢印Ａが示す方向に進行する。以下、本明細書において単に「前方」及び「後方」という場合、この矢印Ａが示すソフトルアー１０の進行方向を基準とする。
【００１３】
一実施形態における本体部１１は、図１に示すように、略円柱形状の頭部１２と、頭部１２の進行方向後方に連続して形成される胴体部１４と、胴体部１４の進行方向後方に連続して形成されると共に先細りの略紐状の形状を有する尾部１６と、を有する。一実施形態においては、これらの頭部１２、胴体部１４、及び尾部１６が、合成樹脂やゴム等の軟質材料により、射出成形等の手法を用いて一体に形成されている。ここで、一実施形態における本体部１１の進行方向の長さは、例えば１０ｃｍ程度であり、例えば７−１３ｃｍの範囲にある。
【００１４】
胴体部１４は、図２に示すように、ソフトルアー１０の進行方向に略直交する左右方向の幅が、進行方向略中央に近づくほど広くなる形状を有している。また、胴体部１４は、図３に示すように、ソフトルアー１０の進行方向に略直交する上下方向の高さが、進行方向略中央に近づくほど高くなる形状を有している。このように、一実施形態における胴体部１４は、進行方向略中央が幅広で上方向に盛上がる形状を有する。
【００１５】
また、胴体部１４の外周面には、複数の円環状の凹部（溝、符号なし）が、ソフトルアーの進行方向に所定の間隔を空けて形成されており、同じく胴体部１４の下面には、ソフトルアーの進行方向に沿って延びる直線状の凸部（符号なし）が形成されている。また、尾部１６の先端には、略三角形状の針部（符号なし）が形成されている。
【００１６】
一実施形態における複数の脚部２０は、図示するように、前方から見て胴体部１４の右側の側面から突出する５つの右側脚部２０Ｒと、同じく胴体部１４の左側の側面から突出する５つの左側脚部２０Ｌと、によって構成されており、右側脚部２０Ｒ及び左側脚部２０Ｌは、左右対称の関係となるように設けられている。一実施形態において、脚部２０は、本体部１１と同じ合成樹脂やゴム等の軟質材料により形成されており、また、射出成形等の手法を用いて本体部１１と一体に形成されている。
【００１７】
右側脚部２０Ｒ及び左側脚部２０Ｌの各々は、図２、３に示すように、胴体部１４の右側側面及び左側側面の、進行方向略中央よりも前方側の下端部に、所定の間隔を空けて進行方向に沿って一列に並ぶように設けられた５つの脚部２０によって構成されている。一実施形態において、各脚部２０が突出して延びる方向は、図示するように、進行方向の前方に傾斜しており、この傾斜角度は、例えば、進行方向に略直交する左右方向を基準として０−４５°の範囲とすることが出来る。
【００１８】
一実施形態における複数の脚部２０は、進行方向の前方から見て略半円形状の（進行方向に略直交する断面が略半円形状の）相互に略相似する形状を有し、各脚部２０の前方側の面が水流の抵抗を受ける水流抵抗面として機能する。この水流抵抗面の大きさは、最も前方の脚部２０−１よりも、その後方に位置する２番目の脚部２０−２の方が大きく、この２番目の脚部２０−２よりも、その後方に位置する３番目の脚部２０−３の方が大きくなっている。また、３番目の脚部２０−３の後方に位置する４番目の脚部２０−４の水流抵抗面の大きさは、２番目の脚部２０−２と略同一であり、その後方に位置する５番目の脚部２０−５の水流抵抗面の大きさは、１番目の脚部２０−１と略同一である。従って、水流抵抗面の大きさは、３番目の脚部２０−３よりも、この後方に位置する４番目の脚部２０−４の方が小さく、この４番目の脚部２０−４よりも、この後方に位置する５番目の脚部２０−５の方が小さい。
【００１９】
ここで、一実施形態においては、複数の脚部２０は前方から見て略半円形状の相互に略相似する形状を有するから、水流抵抗面の大きさが大きいということは、左右方向の長さ（突出する方向の長さ）が長く、且つ、上下方向の幅（水流抵抗面における突出する方向に略直交する方向の幅）が長いということを意味する。ここで、一実施形態における脚部２０の左右方向の長さは、例えば５−２０ｍｍの範囲にあり、同じく上下方向の幅は、例えば、２−７ｍｍの範囲にある。
【００２０】
このように、一実施形態における複数の脚部２０は、前方から１番目から３番目までの脚部２０は、後方に行くに従って水流抵抗面の大きさが大きくなり（左右方向の長さ、及び、上下方向の幅が長くなり）、３番目から５番目までの脚部２０は、後方に行くに従って水流抵抗面の大きさが小さくなる（左右方向の長さ、及び、上下方向の幅が短くなる）ように構成されている。こうした構成によって、複数の脚部２０の左右方向端部（右側脚部２０Ｒの右方向端部、及び、左側脚部２０Ｌの左方向端部）によって画定される曲線、及び、上端部によって画定される曲線が、それぞれ山なりとなり、ソフトルアー１０全体の形状が流線型状に近づくことを実現している。
【００２１】
また、前方から１番目から３番目までの脚部２０−１、２０−２、及び、２０−３の水流抵抗面の大きさは、前方から後方に行くに従って大きくなるから、図４に示すように、２番目の脚部２０−２、及び、３番目の脚部２０−３の水流抵抗面は、その一部が、進行方向の前方から見て露出している。
【００２２】
また、図２に示すように、一実施形態における複数の脚部２０において、ソフトルアー１０の進行方向の厚みは、最も前方の脚部２０−１よりも、その後方に位置する２番目の脚部２０−２の方が厚く、この２番目の脚部２０−２よりも、その後方に位置する３番目の脚部２０−３の方が厚くなっている。また、３番目の脚部２０−３の後方に位置する４番目の脚部２０−４の進行方向の厚みは、２番目の脚部２０−２と略同一であり、その後方に位置する５番目の脚部２０−５の進行方向の厚みは、１番目の脚部２０−１と略同一である。従って、進行方向の厚みは、３番目の脚部２０−３よりも、この後方に位置する４番目の脚部２０−４の方が薄く、この４番目の脚部２０−４よりも、この後方に位置する５番目の脚部２０−５の方が薄い。
【００２３】
ここで、一実施形態においては、複数の脚部２０は同じ材料で形成されているから、厚みが厚いということは、強度が高いことを意味する。
【００２４】
次に、このように構成された一実施形態におけるソフトルアー１０のリトリーブ中の動きについて説明する。釣り人の操作に伴ってソフトルアー１０が水中を泳動すると、ソフトルアー１０の進行に伴う水流抵抗を水流抵抗面が受けて各脚部２０は揺動する。このとき、１番目の脚部２０−１によって水流が乱されるため、その後方の２番目以降の脚部２０は水流抵抗を受けにくい。しかしながら、一実施形態におけるソフトルアー１０は、２番目の脚部２０−２、及び、３番目の脚部２０−３の水流抵抗面の大きさが、その前方の脚部２０よりも大きく、水流抵抗面の一部が進行方向の前方から見て露出するように構成されているから、水流抵抗面の大きさが前方の脚部２０と同等であり水流抵抗面が前方から見て露出していない場合と比較して、水流抵抗を受けやすい。即ち、一実施形態におけるソフトルアー１０は、後方に位置する２番目の脚部２０−２、及び、３番目の脚部２０−３の動きが阻害され難い。
【００２５】
また、ソフトルアー１０のリトリーブ中において、水流抵抗面の大きさが大きく、左右方向の長さが長い脚部２０ほど、前後方向に揺れ動く移動量が大きくなるため、その前後の脚部２０の動きを阻害する恐れがある。しかしながら、一実施形態におけるソフトルアー１０は、水流抵抗面の大きさが大きく左右方向の長さが長い脚部２０ほど、進行方向の厚みが厚く強度が高くなっているから、前後方向に揺れ動く移動量が抑制され、この結果、前後の脚部２０の動きが阻害され難い。
【００２６】
上述した一実施形態においては、ソフトルアー１０全体の流線型状を実現するために、複数の脚部２０は、前方から３番目から５番目までの脚部２０は、後方に行くに従って水流抵抗面の大きさが小さくなる（左右方向の長さ、及び、上下方向の幅が短くなる）ように構成したが、本発明の他の実施形態においては、３番目から５番目までの脚部２０についても、１番目から３番目までの脚部２０と同様に、後方に行くに従って水流抵抗面の大きさが大きくなるように構成され得る。この場合、４番目及び５番目の脚部２０を含む全ての脚部２０の水流抵抗面の一部が進行方向の前方から見て露出することになるから、複数の脚部２０の全ての脚部２０が水流抵抗を受けやすくなり、動きが阻害され難くなる。
【００２７】
上述した一実施形態においては、複数の脚部２０は、前方から見て略半円形状の相互に略相似する形状を有するように構成したが、本発明の他の実施形態においては、脚部２０を前方から見た形状は略半円形状に限られず、様々な形状とすることができるし、複数の脚部２０の形状は、相互に略相似する形状に限られない。例えば、複数の脚部２０について、水流抵抗面の上下方向の幅は略同一の長さとし、水流抵抗面の大きさが大きい脚部２０は、左右方向の長さのみが長くなるように構成しても良いし、又は、複数の脚部２０について、水流抵抗面の左右方向の長さは略同一の長さとし、水流抵抗面の大きさが大きい脚部２０は、上下方向の幅のみが長くなるように構成しても良い。
【００２８】
上述した一実施形態においては、前方の脚部２０よりも水流抵抗面の大きさが大きい後方の脚部２０（具体的には、２番目の脚部２０−２及び３番目の脚部２０−３）の水流抵抗面の一部が進行方向の前方からみて露出するように構成したが、本発明の他の実施形態においては、前方の脚部２０と水流抵抗面の大きさが同等、又は、より小さい後方の脚部２０の水流抵抗面の一部が進行方向の前方から見て露出するように構成され得る。例えば、脚部２０が突出して延びる方向に上下方向の傾斜を設け、この傾斜角度を、前後する脚部２０間で異なるようにすることによって、後方の脚部２０の水流抵抗面の少なくとも一部が進行方向の前方から見て露出するように構成することもできる。
【００２９】
上述した一実施形態においては、水流抵抗面の大きさが大きく左右方向の長さが長い脚部２０ほど、進行方向の厚みが厚く強度が高くなるように構成したが、本発明の他の実施形態においては、脚部２０の強度は、進行方向の厚みを厚くする方法以外の方法で高くされ得る。例えば、水流抵抗面の大きさが大きく左右方向の長さが長い脚部２０には、強度を補強する部材が設けられてその強度が高くなるように構成され、又は、強度の高い別の材料を用いて形成することによってその強度が高くなるように構成され得る。
【００３０】
以上説明した本発明の様々な実施形態におけるソフトルアー１０は、本体部１１と、この本体部１１の側面から突出するように設けられると共にソフトルアー１０の進行に伴う水流抵抗を受けて揺動する複数の脚部２０と、を備え、この複数の脚部２０は、１番目の脚部２０−１の後方に位置する２番目の脚部２０−２、及び、この２番目の脚部２０−２の後方に位置する３番目の脚部２０−３の水流抵抗面の少なくとも一部が進行方向の前方から見て露出している。従って、水流抵抗面が進行方向の前方から見て露出していない場合と比較して、ソフトルアー１０の進行方向の後方に位置する脚部２０が水流抵抗を受けやすくなり、この結果、後方に位置する脚部２０（揺動部位）の動きが阻害されるのを抑制することができる。
【００３１】
本発明の実施形態は、上述した実施形態に限定されるものではなく、その要旨を逸脱しない範囲内で様々な変更が可能である。例えば、脚部２０の数及び配置は、上述した実施形態に限定されず、様々な変更が可能である。例えば、ソフトルアー１０の進行方向に沿って一列に並ぶ複数の脚部２０によって構成される脚部２０の「列」の数は、１、又は、３以上とすることも出来る。脚部２０の列を３以上とすることにより、対象魚とソフトルアー１０との位置関係に関わらず、複数の脚部２０の少なくとも一部が対象魚の視界に入り易くなる。
【００３２】
また、例えば、少なくとも一部の脚部２０の付け根部分（胴体部１４と接続する部分）における上下方向の幅を進行方向の厚みよりも小さくなるように構成することもできる。このように構成された脚部２０は、前後方向よりも上下方向への動きが促されるから、実際の活き餌の動きに近い動きを実現すると共に、前後の脚部２０の動きを阻害し難くなる。
【符号の説明】
【００３３】
１０  ソフトルアー
１１  本体部
１２  頭部
１４  胴体部
１６  尾部
２０  脚部
２０Ｒ  右側脚部
２０Ｌ  左側脚部
【図１】
2019022525.tif 000003
【図２】
2019022525.tif 000004
【図３】
2019022525.tif 000005
【図４】
2019022525.tif 000006